(57)【要約】【課題】  本発明は、空冷式燃料電池を迅速に適正な発電反応温度まで昇温させることができる車載用燃料電池スタックの運転方法を提供することを課題とする。【解決手段】  発電セルの温度を計測し、この計測した温度が、予め定めた発電セル運転基準温度以下であれば、空気量配分機構により、冷却用空気の配分をゼロにする制御を行う。始動時に、冷却用空気の導入口を閉じ、一方、反応用空気の導入口は開いた状態を維持し、同時に、ファンを作動させ、導入される空気の全量が反応用空気流量として反応用空気の導入口から流入して水素との反応に供され、冷却は抑えられる。発電反応が促進され、所定の運転温度にまで昇温するのに時間がかからない。始動時のみに限定することなく、発電セルの温度を計測し、空気量配分機構により、冷却用空気の配分をゼロにする制御を行うので、発電セルの温度は上昇しやすくなる。【選択図】      図１４
2005216783.tif 000002
【特許請求の範囲】
【請求項１】
固体高分子電解質膜をアノード側電極とカソード側電極とで挟み、前記アノード側に燃料ガスを供給し、前記カソード側に反応用空気を供給して、固体高分子電解質膜を介して燃料ガスと空気を反応させて発電させる平板状の発電セルを複数枚準備し、隣接する発電セル間に、２枚の平板間に冷却用空気を流す構造の冷却セルを介在させるごとくに発電セルと冷却セルとを交互に積層して燃料電池スタックを構成し、この燃料電池スタックは、４つの側面のうち、車両に搭載したときに前方へ臨む正面に前記反応用空気の導入口を発電セルの各々に備えると共に前記冷却用空気の導入口を冷却セルの各々に備え、車両に対して前から後へ流れる空気を、反応用空気と冷却用空気とに配分すると共に配分割合を変更する空気量配分機構を正面の前方に備えた車載用燃料電池スタックの運転方法において、
前記発電セルの温度を計測し、この計測した温度が、予め定めた発電セル運転基準温度以下であれば、前記空気量配分機構により、冷却用空気の配分をゼロにする制御を行うことを特徴とする車載用燃料電池スタックの運転方法。
【発明の詳細な説明】
【技術分野】
【０００１】
本発明は、車載用燃料電池スタックの運転方法に関するものである。
【背景技術】
【０００２】
燃料電池車は、水素を燃料とし、水素と酸素で発電する燃料電池と走行用モータを備え、電気で走行する。
従来の燃料電池の運転方法として、燃料電池アセンブリを用いた方法が知られている（例えば、特許文献１参照。）。
また、車両に用いた燃料電池を運転する方法が知られている（例えば、特許文献２参照。）。
【特許文献１】特開昭５４−２２５３７公報（第１０頁、ＦＩＧ．１）
【特許文献２】特表２０００−５１４７４５公報
【０００３】
特許文献１を次図に基づいて説明する。
図１５は、従来の技術を説明する図であり、従来の燃料電池の運転方法に用いた燃料電池アセンブリは、燃料電池積層部２０１と、この燃料電池積層部２０１と交互に積層した二極板２０２（燃料ガス通路２０３と酸素含有ガス通路２０４を有する。）とを備えたもので、その運転方法は、発電に空気の酸素を用いるとともに、その空気によって、積層した燃料電池積層部２０１を自然冷却する。
【０００４】
特許文献２の技術を説明する。
従来の燃料電池の運転方法に採用した「電動車両に用いられる燃料電池ユニット」は、冷却システム（例えば、走行風を通す。）を有し、その運転方法は、電動車両を走行させ、続けて、走行させたときに生じる走行風を用いて燃料電池を冷却する。
さらに、燃料電池ユニットは、冷却システムに風を強制的に通すための圧力源（例えば、送風機）を備え、まず、走行速度を検出し、その次に、低速走行であるか判断し、低速走行であれば送風機で燃料電池を冷却する。又は、外部温度を測定し、引き続き、外部温度が高いか判断し、外部温度が高いときに送風機で燃料電池を冷却することができる。
【０００５】
しかし、特許文献１の燃料電池アセンブリを用いた運転方法では、燃料電池積層部２０１（燃料電池）で発生した熱は放熱し難く、環境などの条件によっては、燃料電池の温度が上がり過ぎる不安がある。
【０００６】
特許文献２の燃料電池ユニットを用いた運転方法では、通常、自動車の冷却器（ラジエータ）を取り付ける位置に燃料電池ユニットを組込み、走行風で直接燃料電池ユニット（燃料電池スタック）を冷却するが、冷却に用いる空気と発電に用いる空気とに適正に配分して、燃料電池スタックの温度の増減に対応させる必要がある。燃料電池には、発電に適した発電反応温度があり、例えば、始動時では、燃料電池の温度は低く、冷却する必要はない。特許文献２では、低速走行であれば（アイドリング状態を含む。）送風機は作動するから、始動時の燃料電池の温度は上昇し難くなる。
【発明の開示】
【発明が解決しようとする課題】
【０００７】
本発明は、空冷式燃料電池を迅速に適正な発電反応温度まで昇温させることができる車載用燃料電池スタックの運転方法を提供することを課題とする。
【課題を解決するための手段】
【０００８】
請求項１に係る発明は、固体高分子電解質膜をアノード側電極とカソード側電極とで挟み、アノード側に燃料ガスを供給し、カソード側に反応用空気を供給して、固体高分子電解質膜を介して燃料ガスと空気を反応させて発電させる平板状の発電セルを複数枚準備し、隣接する発電セル間に、２枚の平板間に冷却用空気を流す構造の冷却セルを介在させるごとくに発電セルと冷却セルとを交互に積層して燃料電池スタックを構成し、この燃料電池スタックは、４つの側面のうち、車両に搭載したときに前方へ臨む正面に反応用空気の導入口を発電セルの各々に備えると共に冷却用空気の導入口を冷却セルの各々に備え、車両に対して前から後へ流れる空気を、反応用空気と冷却用空気とに配分すると共に配分割合を変更する空気量配分機構を正面の前方に備えた車載用燃料電池スタックの運転方法において、発電セルの温度を計測し、この計測した温度が、予め定めた発電セル運転基準温度以下であれば、空気量配分機構により、冷却用空気の配分をゼロにする制御を行うことを特徴とする。
【発明の効果】
【０００９】
請求項１に係る発明では、発電セルの温度を計測し、この計測した温度が、予め定めた発電セル運転基準温度以下であれば、空気量配分機構により、冷却用空気の配分をゼロにする制御を行うので、始動時に、冷却用空気の導入口を閉じ、一方、反応用空気の導入口は開いた状態を維持し、同時に、ファンを作動させ、ファンの作動により導入される空気の全量が反応用空気流量として反応用空気の導入口から流入して水素との反応に供され、冷却は抑えられる。その結果、水素と空気中の酸素との発電反応が促進され、発電セルの温度は上昇しやすくなり、発電セルの温度を所定の運転温度にまで昇温するのに時間がかからないという利点がある。
【００１０】
また、車載用燃料電池スタックの運転方法では、始動時のみに限定することなく、発電セルの温度を計測し、この計測した温度が、予め定めた発電セル運転基準温度以下であれば、空気量配分機構により、冷却用空気の配分をゼロにする制御を行うので、導入される空気の全量が反応用空気の導入口から流入して水素との反応に供され、冷却は抑えられる。その結果、水素と空気中の酸素との発電反応が促進され、発電セルの温度は上昇しやすくなり、発電セルの温度を所定の運転温度にまで昇温するのに時間がかからないという利点がある。
【発明を実施するための最良の形態】
【００１１】
本発明を実施するための最良の形態を添付図に基づいて以下に説明する。なお、図面は符号の向きに見るものとする。
図１は、本発明の車載用燃料電池スタックの運転方法を採用した車両の斜視図であり、車両１１は、水素を燃料とする燃料電池車で、車体１２の中央に配置した蓄電装置１３と、後部に配置した水素貯蔵源１４と、後部に取り付けた走行モータ１５，１５と、走行モータ１５，１５に取り付けた後輪１６，１６と、前部に配置した車載用燃料電池スタック１７と、車載用燃料電池スタック１７を制御する燃料電池制御装置１８と、を備える。２１はエンジンルーム、２２はアクセルペダル、２３は補機を示す。
補機２３は、走行モータ１５以外の電気機器であり、例えば、ワイパー用モータ２６やエアコン用モータ２７や前照灯２８である。
【００１２】
図２は、本発明の車載用燃料電池スタックの運転方法に採用した車載用燃料電池スタックの斜視図である。
車載用燃料電池スタック１７は、電池スタック部３１，３１と、電池スタック部３１，３１の前に配置した空気量配分機構３２と、電池スタック部３１，３１の後に配置したファン３３と、電池スタック部３１，３１を覆う電池ケース３４と、を備える。３５は空気導入側、３６，３６（図３参照）は電池スタック部３１，３１の後に配置して燃料電池の温度を検出する温度センサ、３７，３７は水素を供給するための水素供給管、３８，３８は水素を排出するための水素排出管、４１は空気量配分機構３２の前に配置した空気濾過手段を示す。
【００１３】
空気量配分機構３２は、上方に配置した開閉駆動源４２と、開閉駆動源４２に連結したリンク機構４３と、リンク機構４３で作動する弁手段４４と、を備える。
開閉駆動源４２は、任意であり、リンク機構４３を矢印ａ１，ａ１のごとく作動させるものであればよく、例えば、ソレノイドや電気モータである。
【００１４】
ファン３３は、既存の電動ファンで、電池スタック部３１，３１の空気導入側３５とは反対側に位置し、空気導入側３５から強制的に空気Ａを電池スタック部３１，３１に導入し、電池ケース３４の外に排気するための空気吸込みファンである。言い換えると、ファン３３は、車両１１（図１参照）に搭載したときに後方へ臨む後面４６の後方（矢印ａ２の方向）に、車両１１（図１参照）に対して前から後へ流れる空気Ａを強制的に発生させる。
【００１５】
温度センサ３６は、雰囲気の温度を−４０℃〜最大２００℃まで測定可能であればよく、詳細な仕様は任意であり、ブラケット４５を介して図５の発電セル６１の排出口９７の近くに配置され、反応用空気Ａｒの排出時の温度を測定する。
【００１６】
図３は、本発明の車載用燃料電池スタックの運転方法に採用した車載用燃料電池スタックの平面図である。
車載用燃料電池スタック１７は、既に説明したように、左右に並べて２基配置した電池スタック部３１，３１と、電池スタック部３１，３１の前に位置する空気導入側３５に配置した空気量配分機構３２と、電池スタック部３１，３１の後面４６の後方（矢印ａ２の方向）でかつ、電池ケース３４の後端に取り付けたファン３３と、を備え、左右の電池スタック部３１，３１を直列に第１ケーブル４８で接続し、左の電池スタック部３１の下のマイナス端子５１に第２ケーブル５２を接続し、右の電池スタック部３１の上のプラス端子５３に第３ケーブル５４を接続した。５５は車載用燃料電池スタック１７のスタック部３１，３１の正面を示す。
【００１７】
図４は、本発明の車載用燃料電池スタックの運転方法に採用した車載用燃料電池スタックの分解図であり、左右の電池スタック部３１，３１を示す。
電池スタック部３１は、発電セル６１の間に冷却セルであるところの冷却空気流通板６２を配置したものである。具体的には、下に２基の電池スタック部３１，３１を載せることが可能な面積の下部エンドプレート６４を設け、下部エンドプレート６４の上面の左側に第１絶縁シート６５を載せ、この絶縁シート６５の上面に第１集電用導電板６６を載せ、第１集電用導電板６６の上面に冷却空気流通板６２を載せ、冷却空気流通板６２の上面に発電セル６１を載せ、発電セル６１の上面に冷却空気流通板６２を載せ、以降同様に発電セル６１の上面に冷却空気流通板６２を載せることで、発電セル６１を所定数だけ積層し、所定数枚目の発電セル６１の上面に第２集電用導電板６７を載せ、第２集電用導電板６７の上面に第２絶縁シート６８を載せ、第２絶縁シート６８の上面に上部エンドプレート７１を載せ、上部エンドプレート７１の上面にバックアッププレート７２を載せ、バックアッププレート７２と下部エンドプレート６４とをタイロッド７３・・・（・・・は複数を示す。以下同様。）及びナット７４・・・を用いて締結し、下の第１集電用導電板６６がマイナス極となり、上の第２集電用導電板６７がプラス極となる発電装置である。一方、下部エンドプレート６４の上面の右側にも左側と同様に発電セル６１を所定数だけ積層してバックアッププレート７２を載せ、このバックアッププレート７２と下部エンドプレート６４とをタイロッド７３・・・及びナット７４・・・を用いて締結した。
【００１８】
発電セル６１は、固体高分子電解質膜であるところの膜・電極接合体７５と、膜・電極接合体７５の酸素が触れる面に接触させたカソード側セパレータ７６と、膜・電極接合体７５の水素が触れる面に接触させたアノード側セパレータ７７と、からなる。
【００１９】
膜・電極接合体７５は、固体高分子電解質（例えば、パーフルオロカーボンスルホン酸樹脂）７８の両面に電極触媒層７９，７９を形成し、これらの電極触媒層７９，７９にそれぞれガス拡散層８１，８１を形成したものである。
固体高分子電解質７８としては、例えば、デュポン社製のナフィオン膜を挙げることができる。
電極触媒層７９は、白金系触媒をカーボンの担体に保持させたものを塗布することで形成した膜である。
ガス拡散層８１は、多孔質のカーボンペーパやカーボンクロスやカーボン不織布である。
【００２０】
固体高分子電解質７８の酸素側に積層した電極触媒層７９とガス拡散層８１とでカソード側電極７５ａを構成する。
固体高分子電解質７８の水素側に積層した電極触媒層７９とガス拡散層８１とでアノード側電極７５ｂを構成する。
【００２１】
カソード側セパレータ７６は、一端に形成した水素供給孔８２と、他端に形成した水素排出孔８３と、正面５５側から後面４６側に貫通する直線状の反応用空気流路８４・・・と、からなる。具体的には後述する。
【００２２】
アノード側セパレータ７７は、一端に形成した水素供給孔８７，８７（図１０参照）と、他端に形成した水素排出孔８８，８８（図１０参照）と、水素供給孔８７側から水素排出孔８８側に水素を導くとともに、膜・電極接合体７５に水素を供給する直線状の水素流路９１・・・と、からなる。具体的には後述する。
【００２３】
冷却セル（冷却空気流通板）６２は、一端に形成した水素供給孔９２と、他端に形成した水素排出孔９３と、正面５５側から後面４６側に貫通する直線状の冷却用空気貫通流路９４・・・と、水素供給孔９２側に取り付けた第１整流部材９５と、水素排出孔９３側に取り付けた第２整流部材９６と、からなる。具体的には後述する。
冷却セル（冷却空気流通板）６２の材質は、導電性の金属であり、薄板を用いた。
上部エンドプレート７１には、水素入口７１ａ及び水素出口７１ｂを設けた。
【００２４】
図５は、図３の５−５線断面図であり、燃料電池スタック１７の電池スタック部３１と、電池スタック部３１の前に設けた空気量配分機構３２と、空気濾過手段４１と、発電セル６１の排出口９７に配置した温度センサ３６を示す。
【００２５】
空気濾過手段４１は、弁手段４４の枠部１０１に外側１０２から順に、粗い目金網１０３、粗い目フィルタ１０４、細い目金網１０５を取り付けたもので、空気Ａ中の塵や埃を取り除く。
発電セル６１はまた、反応用空気Ａｒの導入口１１３に取り付けたフィルタとしての細い目フィルタ１０６を備える。
細い目フィルタ１０６の詳細な仕様は任意である。
【００２６】
弁手段４４は、電池ケース３４に枠部１０１をスライド（矢印ａ３の方向）可能に嵌めかつ、リンク機構４３（図２参照）に枠部１０１を連結し、枠部１０１に支持部材１０７・・・（図３も参照）を取り付け、支持部材１０７・・・に断面雨滴状のシート部材１０８・・・を所定のピッチＰｖで取り付け、冷却空気流通板６２の導入口１１１にシート面１１２を成形し、発電セル６１の導入口１１３に導入口１１１を開閉するためのシート面１１４を成形し、通常は、シート部材１０８は原点位置１１５にあり、必要に応じて閉じ状態となる前進限位置１１６又は開き状態の最大となる後退限位置１１７までスライドする。
【００２７】
このように、燃料電池スタック１７は、固体高分子電解質膜（膜・電極接合体）７５をアノード側電極７５ｂとカソード側電極７５ａとで挟み、アノード側に燃料ガス（水素）を供給し、カソード側に反応用空気Ａｒを供給して、固体高分子電解質膜７５を介して燃料ガス（水素）と空気を反応させて発電させる平板状の発電セル６１・・・を複数枚準備し、隣接する発電セル６１・・・間に、２枚の平板間に冷却用空気Ａｃを流す構造の冷却セル（冷却空気流通板）６２・・・を介在させるごとくに発電セル６１と冷却セル（冷却空気流通板）６２とを交互に積層し、４つの側面のうち、車両１１（図１参照）に搭載したときに前方へ臨む正面５５に反応用空気Ａｒの導入口１１３を発電セル６１・・・の各々に備えると共に冷却用空気Ａｃの導入口１１１を冷却セル６２・・・の各々に備え、車両１１（図１参照）に対して前から後へ流れる空気Ａを、反応用空気Ａｒと冷却用空気Ａｃとに配分すると共に配分割合を変更する空気量配分機構３２を正面５５の前方に備える。
【００２８】
図６は、本発明の車載用燃料電池スタックの運転方法に採用した発電セル及び冷却セルの断面図である。
冷却セル（冷却空気流通板）６２は、正面５５側から後面４６側に貫通する直線状の冷却用空気貫通流路９４を複数備える。
カソード側セパレータ７６は、正面５５側から後面４６側に貫通する直線状の反応用空気流路８４を備える。
アノード側セパレータ７７は、直線状の水素流路９１と、パッキン１２１を備える。
【００２９】
図７は、図４の７−７線断面図であり、発電セル６１及び冷却空気流通板６２を示す。  冷却空気流通板６２は、冷却用空気貫通流路９４・・・で冷却用空気Ａｃを図面の表裏方向に導くとともに、アノード側セパレータ７７の水素排出孔８８から出た水素を水素排出孔９３側の第２整流部材９６で矢印ｈ１のごとく水素排出孔８８へ導いて水素を排出する。同様に、図に示していないが、矢印ｈ１の方向とは逆向きに、水素供給孔９２（図４参照）側の第１整流部材９５（図４参照）で水素をアノード側セパレータ７７の水素供給孔８７（図４参照）に導く。１２３，１２３（図８参照）はシール材を示す。
【００３０】
アノード側セパレータ７７は、水素供給孔８７（図４参照）から流入した水素を固体高分子電解質膜（膜・電極接合体）７５へ水素流路９１・・・で矢印ｈ２・・・のごとく導きつつ供給するとともに、水素を水素排出孔８８へ導く。１２４，１２４（図１０参照）はシール材を示す。
【００３１】
カソード側セパレータ７６は、反応用空気流路８４・・・で反応用空気Ａｒを図面の表裏方向に導くとともに、固体高分子電解質膜（膜・電極接合体）７５に反応用空気Ａｒを供給する。
【００３２】
図８は、本発明の車載用燃料電池スタックの運転方法に採用した冷却セルの斜視図である。
冷却セル（冷却空気流通板）６２はまた、カソード側セパレータ７６（図６参照）に載って接触する仕切りベース板部１２７に溝板部１２８を取り付け、仕切りベース板部１２７の端に連ねてシート面１１２を成形したものである。
溝板部１２８には、冷却用空気貫通流路９４・・・を所定の数Ｎだけ、所定のピッチＰｎで形成した。
【００３３】
冷却セル（冷却空気流通板）６２を仕切りベース板部１２７と溝板部１２８とで形成することで、シート面１１２の形成に手間がかからない。
冷却セル（冷却空気流通板）６２を仕切りベース板部１２７と溝板部１２８とで形成することで、図７に示すようにカソード側セパレータ７６の反応用空気流路８４・・・間の構造は簡単になる。
【００３４】
図９は、本発明の車載用燃料電池スタックの運転方法に採用した発電セルのカソード側セパレータの斜視図である。
カソード側セパレータ７６は、より具体的には、薄板１２９の前端に連ねてシート面を支持するバックアップ部１３１を成形し、このバックアップ部１３１に連ねてフィルタ取り付け部１３２を成形し、フィルタ取り付け部１３２に連ねるとともに、薄板１２９の周囲にパッキン押圧部１３３を成形し、パッキン押圧部１３３に連ねて反応用空気流路８４・・・を成形すると同時に電解質膜保持部１３４・・・を設定し、フィルタ取り付け部１３２に第１開口１３５・・・を開け、反応用空気流路８４の前後に第２・第３開口１３６，１３７を開け、パッキン押圧部１３３の後端に第４開口１４１・・・を開け、パッキン押圧部１３３の左右側に水素排出孔８３、水素供給孔８２を開け、反応用空気Ａｒが反応用空気流路８４・・・を矢印ａ４・・・のごとく通る際に固体高分子電解質膜７５（図７参照）に矢印ａ５のごとく供給される。
【００３５】
図１０は、本発明の車載用燃料電池スタックの運転方法に採用した発電セルのアノード側セパレータの斜視図である。
アノード側セパレータ７７は、より具体的には、薄板１４４の前端に連ねてシート面１１４を成形し、薄板１４４の左右側に水素排出孔８８，８８、水素供給孔８７，８７を開け、薄板１４４の中央に電解質膜受け部１４５・・・を成形し、これらの電解質膜受け部１４５・・・の間を水素流路９１・・・とし、水素が水素供給孔８７を矢印ｈ３・・・のごとく流れつつ、第１整流部材９５（図４参照）を通過して、水素供給孔８７から矢印ｈ４・・・のごとく流入し、電解質膜受け部１４５・・・の間（水素流路９１・・・）を流れながら、固体高分子電解質膜（膜・電極接合体）７５（図７参照）に供給され、残りの水素が水素排出孔８８を矢印ｈ５・・・のように通り、第２整流部材９６（図７参照）を通過して、水素排出孔８８を矢印ｈ６のように流れる。
【００３６】
パッキン１２１は、固体高分子電解質膜（膜・電極接合体）７５（図４参照）の周囲と密着してアノード側セパレータ７７との間に流入した水素の圧力を確保する。
【００３７】
図１１は、本発明の車載用燃料電池スタックの運転方法に採用した空気量配分機構のリンク機構の分解図であり、一カ所の詳細を示す。
リンク機構４３は、開閉駆動源４２（図２参照）に連結した連結バー１４７と、連結バー１４７に形成した駆動ボス１４８と、駆動ボス１４８に嵌める嵌合孔１５１と中央に形成した支点孔１５２と端に形成した偏心長孔１５３とを有する回動片１５４と、支点孔１５２に嵌めて支点となるように電池ケース３４に形成した支点ボス１５５と、電池ケース３４に形成したスライド孔１５６と、このスライド孔１５６に通して回動片１５４の偏心長孔１５３に掛止するように枠部１０１に形成したスライドピン１５７と、からなり、連結バー１４７が矢印ｂ１のごとく上がると、回動片１５４が所定角度θだけ矢印ｂ２のごとく回動するから、偏心長孔１５３でスライドピン１５７が押され（矢印ｂ３の方向）、枠部１０１とともに、弁手段４４並びに空気濾過手段４１が一体に前進し、弁手段４４は前進限に達し、閉じる。１５８は回動片１５４の原点位置であり、原点位置１１５（図５参照）に対応する。１６１は前進限位置で前進限位置１１６（図５参照）に対応し、１６２は後退限位置で後退限位置１１７（図５参照）に対応する。
【００３８】
図１２（ａ）〜（ｃ）は本発明の車載用燃料電池スタックの運転方法に採用した空気量配分機構の説明図である。
（ａ）は空気量配分機構３２が原点位置１１５にあり、通常の位置で、空気量配分機構３２をほぼ５０％開けた状態を示す。リンク機構４３（図１１参照）が作動して、空気量配分機構３２が原点位置１１５の位置にあると、空気量配分機構３２は冷却セル６２・・・の導入口１１１・・・（前進限位置１１６）からストロークＳｈだけ離れるので、シート面１１４・・・並びにシート面１１２・・・とシート部材１０８との間が５０％開き、車両が走行した場合、前から後へ流れる空気Ａは、発電セル６１・・・の導入口１１３・・・から反応用空気Ａｒとして流入し、一方、冷却セル６２・・・の導入口１１１・・・から冷却用空気Ａｃとして流入し、冷却セル６２・・・で発電セル６１・・・を冷却する。
【００３９】
（ｂ）は空気量配分機構３２が後退限位置１１７にあり、空気量配分機構３２を１００％開けた状態を示す。リンク機構４３（図１１参照）が作動して、空気量配分機構３２が後退限位置１１７までスライドすると、空気量配分機構３２は冷却セル６２・・・の導入口１１１・・・（前進限位置１１６）からストロークＳｍだけ離れるので、シート面１１４・・・並びにシート面１１２・・・とシート部材１０８との間が１００％開き、車両が走行した場合、前から後へ流れる空気Ａは、発電セル６１・・・の導入口１１３・・・から反応用空気Ａｒとして流入し、一方、冷却セル６２・・・の導入口１１１・・・から冷却用空気Ａｃとして流入する。
【００４０】
（ｃ）は空気量配分機構３２が前進限位置１１６にあり、空気量配分機構３２を閉じた状態を示す。リンク機構４３（図１１参照）が作動して、空気量配分機構３２が前進限位置１１６までスライドすると、冷却セル６２・・・の導入口１１１・・・のシート面１１４・・・並びにシート面１１２・・・にシート部材１０８が接触するので、車両が走行した場合、前から後へ流れる空気Ａは、発電セル６１・・・の導入口１１３・・・から反応用空気Ａｒとして流入し、一方、冷却セル６２・・・の導入口１１１・・・から冷却用空気Ａｃは流入しない。
【００４１】
図１３は、本発明の車載用燃料電池スタックの運転方法に用いた制御の回路図である。
車載用燃料電池スタックの運転方法は、始動する際の車載用燃料電池スタックの作動方法であるとともに、走行速度がゼロのいわゆるアイドリング状態における発電の方法であり、人間が介在しない車載用燃料電池スタックの作動方法である。
車載用燃料電池スタックの運転方法に用いる燃料電池制御装置１８を説明する。
【００４２】
燃料電池制御装置１８は、走行モータ１５，１５など車両１１の全体を制御する集中制御装置１７１からの情報に基づいて制御されるとともに、発電セル６１（図５参照）の温度を計測する温度センサ３６，３６と、温度センサ３６，３６の情報を送る発電セル温度情報処理器１７２と、発電セル温度情報処理器１７２からの温度の情報を予め設定した運転温度上限及び運転温度下限と比較して、空気量配分機構３２の開閉駆動源４２を制御する冷却風制御システム１７３と、発電セル温度情報処理器１７２からの温度の情報と予め設定した運転温度上限及び運転温度下限と比較して、ファン３３を制御する空気吸込みファン制御システム１７４と、集中制御装置１７１の情報に基づいて水素流量制御器１７５を制御する水素流量制御システム１７６と、を備える。１８３は水素の圧力を減圧する減圧弁である。
【００４３】
車載用燃料電池スタックの運転方法は、まず、発電セル６１（図５参照）の温度の計測を、発電セルから排出される反応用空気Ａｒの温度を温度センサ３６，３６で計測することによって行う。この計測した温度が、予め定めた発電セル運転基準温度以下であれば、空気量配分機構３２により、図１２（ｃ）に示したように冷却用空気Ａｃの配分をゼロにする制御を行う。そのような場面としては、例えば、始動する際には、冷却用空気Ａｃを燃料電池スタックとしての電池スタック部３１，３１に導入しない。
【００４４】
図１４（ａ）〜（ｈ）は、本発明の車載用燃料電池スタックの運転方法を説明するグラフ及びタイムチャートである。なお、図１３を併用して説明する。
（ａ）は時間と電池スタック部の発電量との関係を示したグラフであり、横軸を時間とし、縦軸を発電量とした。
【００４５】
（ｂ）は時間と水素流量との関係を示したグラフであり、横軸を時間とし、縦軸を水素流量としたものである。
【００４６】
（ｃ）は時間と発電セル温度との関係を示したグラフであり、横軸を時間とし、縦軸を発電セル温度とした。
発電セルの運転温度下限ｔｎは、固体高分子電解質膜（膜・電極接合体）７５（図４参照）を使用した燃料電池では、適正な発電反応温度範囲は６０℃〜９０℃であり、例えば、６０℃に設定する。
発電セルの運転温度上限ｔｍは、例えば、９０℃に設定する。
発電セル運転基準温度以下は、発電セルの運転温度下限ｔｎと同じ温度以下であり、例えば、６０℃以下という意味である。
発電セル運転基準温度以上は、発電セルの運転温度上限ｔｍと同じ温度以上であり、例えば、９０℃以上を意味する。
【００４７】
（ｄ）は空気量配分機構の開閉駆動源が閉動作を行う時点を示すタイムチャートであり、横軸を時間とし、縦軸を開閉駆動源の閉動作の「作動」並びに「停止」としたものである。時間Ｔ１までは開いた状態（図１２（ａ）参照）である。
（ｅ）は空気量配分機構の開閉駆動源が開動作を行う時点を示すタイムチャートであり、横軸を時間とし、縦軸を開閉駆動源の開動作の「作動」並びに「停止」としたものである。
（ｆ）は時間と冷却用空気流量との関係を示したグラフであり、横軸を時間とし、縦軸を冷却用空気流量とした。Ｑｃｍは流量の最大を示す。
【００４８】
（ｇ）は空気吸込みファンを運転する時点を示すタイムチャートであり、横軸を時間とし、縦軸を空気吸込みファンの「運転」、「停止」としたものである。
（ｈ）は時間と反応用空気流量との関係を示したグラフであり、横軸を時間とし、縦軸を反応用空気流量とした。Ｑｒｍは流量の最大を示す。
【００４９】
次に燃料電池スタックの運転方法を具体的に説明する。
（ｃ）の時間Ｔ１は、運転者がスタートスイッチを「ＯＮ」したときで、（ａ）の発電量が増加し始めるが、車速は０ｋｍ／ｈであり、駐車した状態又はアイドリング状態である。
時間Ｔ１では、温度センサ３６は発電セル６１の温度を測定し、その測定した温度がｔ１であることを発電セル温度情報処理器１７２（図１３参照。以下同じ）に送り、発電セル温度情報処理器１７２は温度ｔ１の情報を冷却風制御システム１７３に送る。冷却風制御システム１７３は、温度ｔ１と予め定めた発電セル運転基準温度であるところの運転温度下限ｔｎとを比較し、比較した結果、温度ｔ１が運転温度下限ｔｎより低いので、（ｄ）に示すように「作動」とすることで、図１２（ｃ）に示すように、冷却セル（冷却空気流通板）６２の冷却用空気Ａｃの導入口１１１を閉じる。その際の開閉駆動源４２に使用する電気は、蓄電装置１３から供給する。
【００５０】
この直後に、冷却風制御システム１７３はさらに、空気吸込みファン制御システム１７４にも情報を送る。空気吸込みファン制御システム１７４は、（ｇ）に示すように「運転」とすることで、ファン３３を作動させる。このとき、冷却用空気Ａｃの導入口１１１は閉じているから、図１２（ｃ）の冷却用空気貫通流路９４・・・に冷却用空気Ａｃは流入しない。一方、反応用空気Ａｒの導入口１１３からは反応用空気流路８４・・・に反応用空気Ａｒが流入し始める。
【００５１】
さらに、時間Ｔ１では、集中制御装置１７１の情報に基づいて、水素流量制御システム１７６は水素流量制御器１７５を所定の開度だけ開き、減圧弁１８３で所定の圧力に減圧した一定の圧力の水素を（ｂ）に示すように供給し始める。引き続き、時間Ｔ２に向け水素流量制御器１７５の開度を漸増させることで、供給する水素の流量を漸増させる。
【００５２】
スタートスイッチを「ＯＮ」した後、経過時間が時間Ｔ２に達した時点で、（ｂ）の水素流量はＱｈ１に達し、それに伴い、発電セル６１（図５参照）の温度は（ｃ）に示す運転温度下限ｔｎまで上昇するとともに、発電セル６１（図５参照）の発電量は（ａ）に示すＷ１まで漸増する。
【００５３】
（ｆ）の冷却用空気流量は、図１２（ｃ）の冷却用空気Ａｃの導入口１１１は閉じているから、冷却用空気貫通流路９４・・・に冷却用空気Ａｃは流入せず、発生しない。従って、発電セル６１（図５参照）の温度は上昇しやすい。
【００５４】
このように、車載用燃料電池スタックの運転方法に含まれる車載用燃料電池スタックの始動方法では、始動時に、冷却用空気Ａｃの導入口１１１を閉じ、一方、反応用空気Ａｒの導入口１１３は開いた状態を維持し、同時に、ファン３３を作動させるので、ファン３３の作動により導入される空気の全量が反応用空気流量Ｑｒ１として反応用空気Ａｒの導入口１１３・・・から流入して水素との反応に供され、冷却は抑えられる。その結果、水素と空気中の酸素との発電反応が促進され、発電セル６１（図５参照）の温度は上昇しやすくなり、発電セル６１（図５参照）の温度を所定の運転温度（運転温度下限ｔｎ）にまで昇温するのに時間がかからない。
【００５５】
また、車載用燃料電池スタックの運転方法では、始動時のみに限定することなく、発電セル６１（図５参照）の温度を計測し、この計測した温度が、予め定めた発電セル運転基準温度以下であれば、空気量配分機構により、冷却用空気の配分をゼロにする制御を行うので、導入される空気の全量が反応用空気Ａｒの導入口１１３から流入して水素との反応に供され、冷却は抑えられる。その結果、水素と空気中の酸素との発電反応が促進され、発電セル６１（図５参照）の温度は上昇しやすくなり、発電セル６１（図５参照）の温度を所定の運転温度（運転温度下限ｔｎ）にまで昇温するのに時間がかからない。
【００５６】
引き続き、（ｂ）に示すように、供給する水素の流量を漸増させ続けて、経過時間が時間Ｔ３に達した時点で、水素流量はＱｈ２に達し、発電セル６１（図５参照）の温度は（ｃ）の運転温度下限ｔｎと運転温度上限ｔｍとのほぼ中間の温度ｔ２に達し、発電量はＷ２まで増加するので、電池スタック部は適正な温度で、アイドリング時に補機２３の駆動に必要な発電量を確保することができる。
【００５７】
その後も、アイドリングが続き、（ｃ）に示す時間Ｔ４で、発電セル６１（図５参照）の温度がｔ３まで上昇した場合、冷却風制御システム１７３は、開閉駆動源４２に原点位置１１５（図１２（ａ）参照）まで空気量配分機構３２をスライドさせる情報を（ｅ）に示すように「作動」として出すことで、図１２（ａ）に示すように、冷却セル（冷却空気流通板）６２の冷却用空気Ａｃの導入口１１１・・・を開ける。開けると、（ｆ）に示す冷却用空気流量Ｑｃ１の空気が開いた導入口１１１・・・から冷却セル（冷却空気流通板）６２内に冷却用空気Ａｃとして流入し、冷却用空気Ａｃは冷却を始めるから、（ｃ）の時間Ｔ５の時点で発電セル６１（図５参照）の温度は約ｔ２まで下がる。
【００５８】
その際の開閉駆動源４２に使用する電気は、電池スタック部から供給する。
空気量配分機構３２が原点位置１１５までスライドしても、反応用空気Ａｒの導入口１１３は、開口した状態を維持するので、酸素は水素と反応して、アイドリング時に補機２３の駆動に必要な発電量を確保することができる。
【００５９】
時間Ｔ５以降では、空気吸込みファン制御システム１７４は、発電セル６１（図５参照）の運転温度下限ｔｎと運転温度上限ｔｍとの範囲内に発電セルの温度を入るように（ｇ）の空気吸込みファンを制御（例えば、ＯＮ−ＯＦＦ制御）する。その結果、アイドリング時に補機２３の駆動に必要な発電量を確保しつつ、発電セルの温度を運転温度下限ｔｎと運転温度上限ｔｍとの間の適正な運転温度に保持することができる。
【００６０】
尚、本発明の車載用燃料電池スタックの運転方法は、実施の形態では燃料電池車に適用したが、二輪車にも適用可能であり、一般の車両に適用することは差し支えない。
【産業上の利用可能性】
【００６１】
本発明の車載用燃料電池スタックの運転方法は、燃料電池車に好適である。
【図面の簡単な説明】
【００６２】
【図１】本発明の車載用燃料電池スタックの運転方法を採用した車両の斜視図
【図２】本発明の車載用燃料電池スタックの運転方法に採用した車載用燃料電池スタックの斜視図
【図３】本発明の車載用燃料電池スタックの運転方法に採用した車載用燃料電池スタックの平面図
【図４】本発明の車載用燃料電池スタックの運転方法に採用した車載用燃料電池スタックの分解図
【図５】図３の５−５線断面図
【図６】本発明の車載用燃料電池スタックの運転方法に採用した発電セル及び冷却セルの断面図
【図７】図４の７−７線断面図
【図８】本発明の車載用燃料電池スタックの運転方法に採用した冷却セルの斜視図
【図９】本発明の車載用燃料電池スタックの運転方法に採用した発電セルのカソード側セパレータの斜視図
【図１０】本発明の車載用燃料電池スタックの運転方法に採用した発電セルのアノード側セパレータの斜視図
【図１１】本発明の車載用燃料電池スタックの運転方法に採用した空気量配分機構のリンク機構の分解図
【図１２】本発明の車載用燃料電池スタックの運転方法に採用した空気量配分機構の説明図
【図１３】本発明の車載用燃料電池スタックの運転方法に用いた制御の回路図
【図１４】本発明の車載用燃料電池スタックの運転方法を説明するグラフ及びタイムチャート
【図１５】従来の技術を説明する図
【符号の説明】
【００６３】
１１…車両、１７…燃料電池スタック、３２…空気量配分機構、３３…ファン、４６…後面、５５…正面、６１…発電セル、６２…冷却セル（冷却空気流通板）、７５…固体高分子電解質膜（膜・電極接合体）、７５ａ…カソード側電極、７５ｂ…アノード側電極、７６…カソード側セパレータ、７７…アノード側セパレータ、１０６…フィルタとしての細い目フィルタ、１１１…冷却用空気の導入口、１１３…反応用空気の導入口、Ａ…前から後へ流れる空気、Ａｃ…冷却用空気、Ａｒ…反応用空気。
【図１】
2005216783.tif 000003
【図２】
2005216783.tif 000004
【図３】
2005216783.tif 000005
【図４】
2005216783.tif 000006
【図５】
2005216783.tif 000007
【図６】
2005216783.tif 000008
【図７】
2005216783.tif 000009
【図８】
2005216783.tif 000010
【図９】
2005216783.tif 000011
【図１０】
2005216783.tif 000012
【図１１】
2005216783.tif 000013
【図１２】
2005216783.tif 000014
【図１３】
2005216783.tif 000015
【図１４】
2005216783.tif 000016
【図１５】
2005216783.tif 000017